(57)【要約】【課題】インターホンシステムに連動した照明を容易に実現することができる照明システムを提供する。【解決手段】呼び出しボタン２３を有するインターホン子機２０を含むインターホンシステム２００と、呼び出しボタン２３の押下に応じてインターホンシステム２００から出力される信号を取得する信号取得部１３と、信号取得部１３の信号の取得に応じて発光し、屋外用の照明器具５に取り付けられる照明用光源１０とを備える。【選択図】図２
2016058192.tif 000002
【特許請求の範囲】
【請求項１】
呼び出しボタンを有するインターホン子機を含むインターホンシステムと、
前記呼び出しボタンの押下に応じて前記インターホンシステムから出力される信号を取得する信号取得部と、
前記信号取得部の前記信号の取得に応じて発光し、屋外用の照明器具に取り付けられる照明用光源とを備える
照明システム。
【請求項２】
前記照明用光源は、前記信号の取得に応じて発光することにより前記インターホン子機に対向する領域を照明する
請求項１に記載の照明システム。
【請求項３】
前記照明用光源が前記インターホン子機に対向する領域を含まない第一エリアを照明している状態において、前記信号取得部が前記信号を取得した場合、前記照明用光源は、前記インターホン子機に対向する領域を含む第二エリアを照明する
請求項２に記載の照明システム。
【請求項４】
前記照明用光源が前記インターホン子機に対向する領域を含む第一エリアを照明している状態において、前記信号取得部が前記信号を取得した場合、前記照明用光源は、前記インターホン子機に対向する領域を含む、前記第一エリアよりも狭い第二エリアを照明する
請求項２に記載の照明システム。
【請求項５】
前記インターホンシステムは、さらに、前記呼び出しボタンの押下に応じて音を出力する出音部を備え、
前記信号取得部は、前記出音部から出力される音を前記信号として取得する音センサである
請求項１〜４のいずれか１項に記載の照明システム。
【請求項６】
前記インターホン子機は、さらに、前記信号を無線送信する第一無線通信部を備え、
前記信号取得部は、前記第一無線通信部から無線送信される前記信号を受信する第二無線通信部であり、
前記照明用光源は、前記第二無線通信部を備える
請求項１〜４のいずれか１項に記載の照明システム。
【請求項７】
さらに、
前記呼び出しボタンを押下した来訪者を含む画像を撮像する撮像部と、
１以上の顔画像データが記憶される記憶部と、
前記撮像部が撮像した前記画像から前記来訪者の顔画像データを生成し、生成した前記顔画像データを前記記憶部に記憶された前記１以上の顔画像データと照合する画像処理部と、
前記画像処理部の照合結果に応じて発光態様を変更して前記照明用光源を発光させる制御部とを備える
請求項１〜６のいずれか１項に記載の照明システム。
【請求項８】
前記発光態様の変更には、色温度の変更、明るさの変更、配光角の変更、及び点滅周期の変更の少なくとも１つが含まれる
請求項７に記載の照明システム。
【請求項９】
呼び出しボタンを有するインターホン子機を含むインターホンシステムから前記呼び出しボタンの押下に応じて出力される信号を取得する信号取得部を備え、
前記信号取得部の前記信号の取得に応じて発光し、屋外用の照明器具に取り付けられる
照明用光源。
【発明の詳細な説明】
【技術分野】
【０００１】
本発明は、インターホンシステムと連動する照明システム及びこれに用いられる照明用光源に関する。
【背景技術】
【０００２】
近年、照明装置には、ＬＥＤ（Ｌｉｇｈｔ  Ｅｍｉｔｔｉｎｇ  Ｄｉｏｄｅ）が光源として用いられ、中でもＬＥＤランプは、従来から知られる蛍光灯や白熱電球の代替照明用光源として注目されている。
【０００３】
一方、住戸の屋外に設置されるインターホン子機と、住戸の屋内に設置されるインターホン親機とを備えるインターホンシステムが知られている（例えば、特許文献１参照）。
【先行技術文献】
【特許文献】
【０００４】
【特許文献１】特開２０１３−１６８９９７号公報
【発明の概要】
【発明が解決しようとする課題】
【０００５】
ところで、住宅などに既に設置された既存のインターホンシステムに連動して照明装置を動作させるためには、インターホンシステムと照明装置とを電気的に接続するための工事などが必要である。したがって、一般ユーザにとっては、既存のインターホンシステムに連動した照明を実現することは難しい。
【０００６】
そこで、本発明は、インターホンシステムに連動した照明を容易に実現することができる照明システムを提供する。
【課題を解決するための手段】
【０００７】
本発明の一態様に係る照明システムは、呼び出しボタンを有するインターホン子機を含むインターホンシステムと、前記呼び出しボタンの押下に応じて前記インターホンシステムから出力される信号を取得する信号取得部と、前記信号取得部の前記信号の取得に応じて発光し、屋外用の照明器具に取り付けられる照明用光源とを備える。
【０００８】
本発明の一態様に係る照明用光源は、呼び出しボタンを有するインターホン子機を含むインターホンシステムから前記呼び出しボタンの押下に応じて出力される信号を取得する信号取得部を備え、前記信号取得部の前記信号の取得に応じて発光し、屋外用の照明器具に取り付けられる。
【発明の効果】
【０００９】
本発明の一態様に係る照明システム及び照明用光源によれば、インターホンシステムに連動した照明を容易に実現することができる。
【図面の簡単な説明】
【００１０】
【図１】図１は、実施の形態１に係る照明システムの概要を説明するための図である。
【図２】図２は、実施の形態１に係る照明システムの機能構成を示すブロック図である。
【図３】図３は、インターホン子機の外観図である。
【図４】図４は、インターホン親機の外観図である。
【図５】図５は、照明用光源の外観を示す図である。
【図６】図６は、第一光源部及び第二光源部の照明エリアを示す模式図である。
【図７】図７は、実施の形態１に係る照明システム１００の動作の概要を説明するためのシーケンス図である。
【図８】図８は、照明用光源の照明範囲を説明するための模式図である。
【図９】図９は、実施の形態２に係る照明システムの機能構成を示すブロック図である。
【図１０】図１０は、実施の形態２に係る照明システムの動作の概要を説明するためのシーケンス図である。
【図１１】図１１は、顔認識処理に基づく発光態様の変更制御のフローチャートである。
【図１２】図１２は、第一エリア及び第二エリアの別の例を示す模式図である。
【発明を実施するための形態】
【００１１】
以下、実施の形態に係る照明システム及び照明用光源について、図面を参照しながら説明する。なお、以下に説明する実施の形態は、本発明の一具体例を示すものである。したがって、以下の実施の形態で示される、数値、形状、材料、構成要素、構成要素の配置位置及び接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１２】
なお、各図は模式図であり、必ずしも厳密に図示されたものではない。また、各図において、実質的に同一の構成に対しては同一の符号を付しており、重複する説明は省略または簡略化される場合がある。
【００１３】
（実施の形態１）
［照明システムの概要］
まず、実施の形態１に係る照明システムの概要について説明する。図１は、実施の形態１に係る照明システムの概要を説明するための図である。
【００１４】
実施の形態１に係る照明システムは、照明用光源１０を住宅の入り口等に設けられる屋外用の照明器具５に照明用光源１０を取り付けることにより、住宅等の既存のインターホンシステムに連動させて照明用光源１０の発光を制御する。
【００１５】
これにより、例えば、訪問者がインターホン子機２０の呼び出しボタンを押すことにより、照明用光源１０が点灯し、訪問者の周囲を照明するような制御が可能となる。また、例えば、通常通りの照明を行っている状態でインターホン子機２０の呼び出しボタンが押された場合に、発光態様を変更する（訪問者に向けて照明を行うなど）制御も可能となる。
【００１６】
このように、実施の形態１に係る照明システムにおいては、住宅において照明器具５の既存の照明用光源を照明用光源１０に交換することで、インターホンシステムに連動した照明システムを容易に実現することができる。
【００１７】
［照明システムの構成］
以下、実施の形態１に係る照明システムの詳細構成について説明する。図２は、実施の形態１に係る照明システムの機能構成を示すブロック図である。
【００１８】
照明システム１００は、照明用光源１０と、インターホンシステム２００とを備える。インターホンシステム２００は、インターホン子機２０と、インターホン親機３０とを備える。
【００１９】
まず、インターホンシステム２００について、図２に加えて図３及び図４を参照しながら説明する。図３は、インターホン子機２０の外観図である。図４は、インターホン親機の外観図である。
【００２０】
インターホン子機２０は、図１で説明したように、住宅の屋外に取り付けられる、インターホンシステム２００における子機である。インターホン子機２０は、撮像部２１と、呼び出しボタン２３と、子機制御部２２と、子機通信部２４とを備える。
【００２１】
呼び出しボタン２３は、来訪者が押すボタンである。呼び出しボタンが押されることにより、インターホン親機３０が有する出音部３３から呼出音が鳴るため、住宅内のユーザに来訪者の存在が通知される。なお、呼び出しボタン２３は、例えば、ハードウェアキーであるが、インターホン子機２０にタッチパネルが設けられるような場合は、ソフトウェアキーであってもよい。
【００２２】
撮像部２１は、呼び出しボタン２３を押下した来訪者を含む画像を撮像する撮像装置（カメラ）である。撮像部２１は、ＣＣＤ（Ｃｈａｒｇｅ  Ｃｏｕｐｌｅｄ  Ｄｅｖｉｃｅ）イメージセンサを用いた撮像装置であってもよいし、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサを用いた撮像装置であってもよい。
【００２３】
子機制御部２２は、呼び出しボタン２３の押下を検出し、検出結果に応じた制御を行う。撮像部２１の起動、及び子機通信部２４を通じた呼出信号の送信などの制御を行う制御部である。子機制御部２２は、具体的には、マイクロコンピュータ、プロセッサ、または専用回路などによって実現される。
【００２４】
子機通信部２４は、子機制御部２２の制御に基づいて、照明通信部１３及び親機通信部３４に呼出信号を送信する。子機通信部２４は、第一無線通信部の一例である。また、子機通信部２４は、子機制御部２２の制御に基づいて、撮像部２１が撮像した画像を映像信号として親機通信部３４に送信する。子機通信部２４は、具体的には、無線通信モジュールである。なお、子機通信部２４の通信には、Ｗｉ−Ｆｉ（登録商標）、Ｂｌｕｔｏｏｔｈ（登録商標）、またはＺｉｇｂｅｅ（登録商標）などの各種通信規格が用いられる。
【００２５】
なお、上記呼出信号の送信には、ユニキャスト送信、マルチキャスト送信、及びブロードキャスト送信のいずれの方法が用いられてもよい。
【００２６】
また、図２においては図示されないが、インターホン子機２０は、来訪者の音声を取得するマイクロホン、及び、宅内のユーザの音声を出力するためのスピーカ等も有する。このような構成要素の説明については省略される。
【００２７】
インターホン親機３０は、住宅の屋内に設けられる、インターホンシステム２００における親機である。インターホン親機３０は、表示部３１と、親機制御部３２と、出音部３３と、親機通信部３４と、マイクロホン３５と、記憶部３６と、応答ボタン３７とを備える。
【００２８】
表示部３１は、子機通信部２４から送信される映像信号に応じた画像が表示される表示部である。表示部３１は、具体的には、ＬＣＤパネル、有機ＥＬパネルなどによって実現される。なお、実施の形態１では、表示部３１は、タッチパネルを有することにより入力インターフェースとしても機能する。
【００２９】
親機制御部３２は、親機通信部３４の呼出情報の受信に応じた制御を行う。例えば、親機制御部３２は、親機通信部３４の呼出情報の受信に応じて出音部３３に音（例えば、チャイム音）を出力させる。また、親機制御部３２は、親機通信部３４の呼出情報の受信に応じて表示部３１を起動し、親機通信部３４が子機通信部２４から受信した映像信号に応じた画像を表示部３１に表示させる。親機制御部３２は、具体的には、マイクロコンピュータ、プロセッサ、または専用回路などによって実現される。
【００３０】
出音部３３は、親機制御部３２の制御に基づいて呼び出しボタン２３の押下に応じて音を出力する。より具体的には、呼び出しボタンの押下に応じて子機通信部２４から送信される呼出信号を親機通信部３４が受信した場合に、住宅内のユーザに来訪者の存在を通知するための音（例えば、チャイム音など）を出力する。出音部３３は、具体的には、スピーカなどで実現される。
【００３１】
親機通信部３４は、子機通信部２４から送信される呼出信号を受信する。また、マイクロホン３５に入力された宅内のユーザの音声を音声信号として子機通信部２４に送信する。親機通信部３４は、具体的には、無線通信モジュールである。なお、親機通信部３４の通信には、子機通信部２４と同様に各種通信規格が用いられる。
【００３２】
マイクロホン３５は、宅内のユーザの音声を取得する。なお、宅内のユーザは、応答ボタン３７を押すことで、マイクロホン３５に入力された音声の、インターホン子機２０への出力をオンまたはオフすることができる。
【００３３】
記憶部３６は、１以上の顔画像データが記憶される記憶装置である。記憶部３６としては、具体的には、フラッシュメモリなどの半導体メモリ、またはＳＤカード（登録商標）記録媒体などが例示される。記憶部３６に記憶された顔画像データは、上述の親機制御部３２が、画像処理部として行う来訪者の顔認証に用いられる。顔認証に基づく制御の詳細については後述する。
【００３４】
次に、照明用光源１０について、図２に加えて図５を参照しながら説明する。図５は、照明用光源の外観を示す図である。
【００３５】
図２及び図５に示されるように、照明用光源１０は、発光部１１と、照明制御部１２と、照明通信部１３と、口金１４と、グローブ１５とを備える。
【００３６】
照明用光源１０は、照明通信部１３の呼出信号の取得に応じて発光し、インターホン子機２０とは別に設けられる電球形のランプである。
【００３７】
発光部１１は、発光素子としてＬＥＤが用いられた発光モジュールである。発光素子としては、ＬＥＤに代えて半導体レーザ等の半導体発光素子、有機ＥＬ（Ｅｌｅｃｔｒｏ  Ｌｕｍｉｎｅｓｃｅｎｃｅ）または無機ＥＬ等の固体発光素子が用いられてもよい。また、発光部１１は、基板にＬＥＤのベアチップが直接実装されたＣＯＢ（Ｃｈｉｐ  Ｏｎ  Ｂｏａｒｄ）型の発光モジュールであってもよいし、ＳＭＤ（Ｓｕｒｆａｃｅ  Ｍｏｕｎｔ  Ｄｅｖｉｃｅ）型の発光素子が用いられた発光モジュールであってもよい。
【００３８】
発光部１１は、第一光源部１１ａ及び第二光源部１１ｂを有する。第一光源部１１ａ及び第二光源部１１ｂは、それぞれが互いに異なるエリアを照明するための光源部である。図６は、第一光源部１１ａ及び第二光源部１１ｂの照明エリアを示す模式図である。
【００３９】
第一光源部１１ａから発せられる光は、ほぼ全方向に向けて配光される（図６の（ａ））。これに対し、第二光源部１１ｂから発せられる光は、主として照明用光源１０の下方に向けて配光される（図６の（ｂ））。
【００４０】
なお、発光部１１の構成はこのような構成に限定されるものではなく、どのように構成されてもよい。
【００４１】
照明制御部１２は、発光部１１の点灯及び消灯制御を行う制御部である。照明制御部１２は、例えば、照明通信部１３の呼出信号の受信に応じて、発光させる光源の切替（第一光源部１１ａと第二光源部１１ｂとの切替）制御を行う。照明制御部１２は、具体的には、マイクロコンピュータ、プロセッサ、または専用回路などによって実現される。
【００４２】
照明通信部１３は、信号取得部及び第二無線通信部の一例であり、子機通信部２４から送信される呼出信号を受信する。言い換えれば、照明通信部１３は、呼び出しボタン２３の押下に応じてインターホンシステム２００から出力される呼出信号を取得する。照明通信部１３は、具体的には、無線通信モジュールである。なお、照明通信部１３の通信には、子機通信部２４及び親機通信部３４と同様に各種通信規格が用いられる。
【００４３】
口金１４は、発光部１１を発光させるための電力を外部から受電する受電部である。口金１４は、照明器具５のソケットに着脱自在に取り付けられることにより、照明器具５のソケットから商用の交流電力を受電する。口金１４の種類は、特に限定されるものではないが、例えば、ねじ込み式のエジソンタイプ（Ｅ型）の口金が用いられる。
【００４４】
グローブ１５は、発光部１１から発せられた光を透過させる部材である。グローブ１５としては、一般的な電球形蛍光灯や白熱電球と同様の形状のガラスバルブを用いることができる。なお、グローブ１５は、必ずしも可視光に対して透明である必要はない。実施の形態１では、グローブ１５は、発光部１１から発せられた光を拡散する機能を有し、乳白色である。
【００４５】
［照明システムの動作］
次に、このような構成の照明システム１００の動作について説明する。図７は、照明システム１００の動作の概要を説明するためのシーケンス図である。図８は、照明用光源の照明範囲を説明するための模式図である。なお、図７のシーケンス図は、必ずしも正確な動作タイミングを図示したものではない。
【００４６】
図７のフローチャートにおいて、照明用光源１０は、まず、第一エリア６１を照明する（Ｓ１１）。ここで、図８の（ａ）に示されるように、第一エリア６１は、照明制御部１２が配光角の広い第一光源部１１ａを選択して発光させることにより照明されるエリアであって、インターホン子機２０に対向する領域を含むエリアである。なお、インターホン子機２０に対向する領域とは、より詳細には、インターホン子機２０が壁に設置された状態におけるインターホン子機２０の正面に位置する領域である。
【００４７】
第一エリア６１が照明されている状態で、来訪者がインターホン子機２０の呼び出しボタン２３を押下した場合、インターホン子機２０の子機制御部２２は、呼び出しボタンの押下を検出する（Ｓ１２）。そして、子機制御部２２は、子機通信部２４を制御することにより、呼出信号を照明用光源１０の照明通信部１３及びインターホン親機３０の親機通信部３４に送信する（Ｓ１３）。
【００４８】
照明用光源１０においては、照明通信部１３が呼出信号を受信し（Ｓ１４）、照明用光源１０は、第二エリア６２を照明する（Ｓ１５）。つまり、照明制御部１２による光源部の切替が行われる。ここで、図８の（ｂ）に示されるように、第二エリア６２は、照明制御部１２が配光角の狭い第二光源部１１ｂを選択して発光させることにより照明されるエリアであって、インターホン子機２０に対向する領域を含むエリアである。インターホン子機２０に対向する領域にいる来訪者は、スポットライトが当たるように照らされる。なお、第二エリア６２は、第一エリア６１よりも狭い。
【００４９】
一方で、ステップＳ１３の後、子機制御部２２は、撮像部２１を起動し（Ｓ１６）、撮像部２１が撮影した画像の映像信号を子機通信部２４を通じて親機通信部３４に送信する（Ｓ１７）。
【００５０】
また、ステップＳ１３の後、インターホン親機３０においては、親機制御部３２は、親機通信部３４の呼出信号の受信に応じて出音部３３にチャイム音を出力させ（Ｓ１８）、宅内のユーザに来訪者の存在を知らせる。そして、親機制御部３２は、表示部３１を起動し（Ｓ１９）、表示部３１は、ステップＳ１６において送信された映像信号に基づいて来訪者を含む映像（画像）を表示する（Ｓ２０）。これにより、宅内のユーザは、インターホン親機３０を通じて来訪者を視認することができる。
【００５１】
［効果］
照明システム１００は、住宅において照明器具５に取り付けられた既存の照明用光源を照明用光源１０に交換することで、実現可能である。つまり、照明システム１００は、既に設置された状態のインターホンシステム２００を利用して容易に実現可能である。
【００５２】
例えば、インターホン子機２０のように光源を有しないインターホン子機２０の周囲を、呼び出しボタン２３の押下に応じて照明するシステムが容易に実現できる。
【００５３】
（実施の形態２）
［照明システムの概要］
実施の形態１では、インターホンシステム２００において、インターホン子機２０及びインターホン親機３０の間の通信は、無線通信であった。しかしながら、インターホン子機２０及びインターホン親機３０の間の通信は、有線通信であってもよい。実施の形態２では、インターホン子機２０及びインターホン親機３０の間の通信が有線通信である場合の照明システムについて説明する。
【００５４】
なお、以下の実施の形態２では、実施の形態１との相違点を中心に説明し、実施の形態１において既に説明した構成要素については説明が省略される場合がある。
【００５５】
［照明システムの動作］
まず、実施の形態２に係る照明システムの機能構成について説明する。図９は、実施の形態２に係る照明システムの機能構成を示すブロック図である。
【００５６】
照明システム１００ａは、照明用光源１０と、インターホンシステム２００ａとを備える。インターホンシステム２００ａは、インターホン子機２０ａと、インターホン親機３０ａと、音センサ４０とを備える。
【００５７】
まず、インターホンシステム２００ａにおいては、インターホン子機２０ａの子機通信部２４ａと、インターホン親機３０ａの親機通信部３４ａとが有線通信を行う点が、インターホンシステム２００と異なる。なお、通信の方式は、電力搬送線通信または有線ＬＡＮ（Ｌｏｃａｌ  Ａｒｅａ  Ｎｅｔｗｏｒｋ）などが例示されるが、どのような方式であってもよい。
【００５８】
このように、子機通信部２４ａと親機通信部３４ａとが有線通信を行う場合、照明用光源１０と、インターホンシステム２００ａとを通信させることは難しい。そこで、照明システム１００ａでは、音センサ４０が用いられる。
【００５９】
音センサ４０は、信号取得部の一例であり、出音部３３から出力される音を信号として取得する。音センサ４０は、センサ部４１と、センサ通信部４２とを備える。
【００６０】
音センサ４０は、出音部３３付近に固定機構によって取り付けられる。固定機構は、クリップ式の固定機構、または、ネジを用いた固定機構など、どのような機構であってもよいが、既に設置されたインターホン親機３０ａに事後的に取り付け可能な機構であることが望ましい。
【００６１】
センサ部４１は、呼び出しボタン２３の押下に応じて出音部３３から出力されるチャイム音を検出する。上述のように、音センサ４０が出音部３３付近に固定機構によって取り付けられれば、センサ部４１は、チャイム音の有無を高い精度で検出できる。
【００６２】
センサ通信部４２は、センサ部４１が音を検出した場合に、制御信号を照明通信部１３に無線送信する。センサ通信部４２は、例えば、無線通信モジュールであり、センサ通信部４２の通信には、各種通信規格が用いられる。
【００６３】
［照明システムの動作］
次に、照明システム１００ａの動作について説明する。図１０は、照明システム１００ａの動作の概要を説明するためのシーケンス図である。
【００６４】
図１０のフローチャートでは、照明用光源１０によって第一エリア６１が照明されている状態で（Ｓ１１）、子機制御部２２は、呼び出しボタンの押下を検出する（Ｓ１２）。そして、子機通信部２４は、呼出信号を親機通信部３４に送信する（Ｓ１３）。その後、子機制御部２２は、撮像部２１を起動し（Ｓ１６）、撮像部２１が撮影した画像の映像信号を子機通信部２４を通じて親機通信部３４に送信する（Ｓ１７）。
【００６５】
また、ステップＳ１３の後、インターホン親機３０においては、親機制御部３２は、出音部３３にチャイム音を出力させ（Ｓ１８）、表示部３１を起動し（Ｓ１９）、表示部３１は、来訪者を含む映像を表示する（Ｓ２０）。
【００６６】
音センサ４０のセンサ部４１は、ステップＳ１８において出音から出力されたチャイム音を検出し（Ｓ２１）、センサ通信部４２は、センサ部４１の音の検出に応じて制御信号を照明通信部１３に送信する（Ｓ２２）。
【００６７】
この結果、照明用光源１０においては、照明通信部１３が制御信号を受信し（Ｓ２３）、照明用光源１０は、制御信号の受信に応じて第二エリア６２を照明する（Ｓ１５）。
【００６８】
［効果］
以上のように、照明システム１００ａは、インターホン子機２０ａとインターホン親機３０ａとの通信が有線通信である。このため、インターホンシステム２００ａに連動した照明システムを実現することは特に難しい。
【００６９】
しかしながら、音センサ４０を用いることで、照明用光源１０とインターホンシステム２００ａとを容易に連動させることができる。
【００７０】
（実施の形態３）
照明システム１００において、インターホン親機３０の親機制御部３２は、画像処理部としても機能する。ここで、照明システム１００においては、来訪者の顔認識処理を行い、来訪者に応じて発光部１１の発光態様を変更する制御も可能である。以下、このような制御について説明する。図１１は、顔認識処理に基づく発光態様の変更制御のフローチャートである。なお、顔認識処理は、既存のどのような手法が用いられてもよく、詳細については説明が省略される。
【００７１】
まず、親機制御部３２は、親機通信部３４を通じて撮像部２１が撮像した画像の映像信号を受信する（Ｓ３１）。上述のように、映像信号は、子機通信部２４から送信される。
【００７２】
次に、親機制御部３２は、撮像部２１が撮像した画像から来訪者の顔画像データを生成する（Ｓ３２）。具体的には、まず、画像内の来訪者の顔を検出し、検出した顔の特徴点位置を検出し、検出した特徴点位置における特徴量を用いて顔画像データを生成する。なお、顔画像データは、具体的には、例えば、顔の各特徴点位置の特徴量をＧａｂｏｒ  Ｗａｖｅｌｅｔ変換により算出した特徴量であるが、他の方法で算出された特徴量や、その他の既存の顔認識技術で用いられるデータであってもよい。
【００７３】
ここで、実施の形態１で説明したように、記憶部３６には、１以上の顔画像データが記憶されている。親機制御部３２は、生成した顔画像データを記憶部３６に記憶された１以上の顔画像データと照合する（Ｓ３３）。そして、照合結果に応じた制御信号を親機通信部３４を通じて照明通信部１３に送信する。ここでの制御信号には、例えば、生成した顔画像データと記憶部３６に記憶された顔画像データとの一致を示す制御信号と、不一致を示す制御信号との２種類が含まれる。なお、送信には無線通信が用いられる。
【００７４】
例えば、照明通信部１３が受信した制御信号が上記一致を示す制御信号である場合、照明制御部１２は、第一光源部１１ａを発光させる。照明通信部１３が受信した制御信号が上記不一致を示す制御信号である場合、照明制御部１２は、第二光源部１１ｂを発光させる。すなわち、照明制御部１２は、照合結果に応じて発光態様を変更して発光部１１（照明用光源１０）を発光させる（Ｓ３４）。
【００７５】
なお、上記のように第一光源部１１ａと第二光源部１１ｂとを選択的に発光させる制御は、発光態様の変更の一例である。発光態様の変更には、発光部１１の色温度の変更、明るさの変更、配光角の変更、及び点滅周期の変更などが含まれる。
【００７６】
顔認識処理に基づく発光態様の変更は、例えば、以下のような使用方法が考えられる。
【００７７】
例えば、ストーカーなどの不審者の顔が分かっている場合、ユーザは、記憶部３６に、不審者の顔画像データを登録しておく。そして、撮像部２１が撮像した画像から生成された来訪者の顔画像データと、不審者の顔画像データとが一致すると判断される場合には、照明制御部１２は、発光部１１の明るさ及び指向性を高め、かつ、点滅させる。これにより、不審者を追い払う（撃退する）ことができる。
【００７８】
一方で、撮像部２１が撮像した画像から生成された来訪者の顔画像データと、不審者の顔画像データとが一致しないと判断される場合には、照明制御部１２は、通常通りの照明用の発光態様で発光部１１を発光させる。
【００７９】
このように、照明システム１００おいては、顔認識技術を用いて自動的に不審者を撃退することも可能である。
【００８０】
なお、上記の例とは反対に、家族、知人、及び友人の顔画像データが記憶部３６に記憶され、顔画像データが一致しないと判断される場合に、来訪者を追い払うような態様で発光部１１が発光してもよい。
【００８１】
また、照明システム１００においてマニュアルモードが設けられてもよい。マニュアルモードにおいては、宅内のユーザが表示部３１を通じて視認した来訪者が不審者である場合に、当該ユーザがインターホン親機３０に設けられたボタンを押すことで、来訪者を追い払うような態様で発光部１１が発光する。
【００８２】
なお、上記実施の形態３では、親機制御部３２が画像処理部として機能するとしたが、画像処理部は、照明用光源１０内に設けられてもよいし、インターホン子機２０内に設けられてもよい。また、照明用光源１０及びインターホンシステム２００とは別の装置が画像処理部として機能し、画像処理を行ってもよい。
【００８３】
（その他の実施の形態）
以上、実施の形態について説明したが、本発明は、上記実施の形態に限定されるものではない。
【００８４】
例えば、上記実施の形態においては、インターホン子機２０から送信される呼出信号をトリガとして照明用光源１０が動作する例について説明されたが、照明用光源１０は、インターホンシステム２００から出力される信号に基づいて動作すればよい。例えば、インターホン親機３０が、呼出信号を受信したことに応じて別の信号を照明用光源１０に送信し、照明用光源１０は、この信号をトリガに動作してもよい。
【００８５】
また、第一エリア６１及び第二エリア６２は、一例であり、必ずしもこのように設定される必要はない。図１２は、第一エリア及び第二エリアの別の例を示す模式図である。
【００８６】
図１２の（ａ）に示される第一エリア７１は、インターホン子機に対向する領域を含まないエリアである。照明用光源１０は、このような第一エリア７１を照明している状態において、照明通信部１３が呼出信号を取得した場合、インターホン子機に対向する領域を含む第二エリア７２を照明してもよい。つまり、照明用光源１０は、光の照射方向を変更してもよい。
【００８７】
また、照明エリアの切り替えは、インターホンシステムに連動した照明制御の一例である。最もシンプルな例としては、照明制御部１２が呼び出しボタン２３の押下に応じて発光部１１を点灯または消灯させる例が挙げられる。また、第一光源部１１ａ及び第二光源部１１ｂに、互いに色温度が異なる光源が採用されれば、呼び出しボタン２３の押下に応じて色温度を変更することも可能であるし、明るさ（調光比）または点滅周期などが変更されてもよい。
【００８８】
また、上記実施の形態においては、電球形の照明用光源について例示したが、本発明の照明システムは、直管形の照明用光源など、他の形態の照明用光源を用いても実現可能である。また、照明器具の形態についても上記実施の形態に限定されるものではない。
【００８９】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００９０】
また、上記実施の形態において、特定の処理部が実行する処理を別の処理部が実行してもよい。また、複数の処理の順序が変更されてもよいし、複数の処理が並行して実行されてもよい。また、上記実施の形態に係る照明システムの構成要素は、どのように配置されてもよい。例えば、記憶部３６は、インターホン親機３０の外部に設けられたクラウドサーバに設けられてもよい。
【００９１】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。例えば、本発明は、照明用光源１０とインターホンシステム２００とを連動させるための、インターホンシステム２００のバージョンアップ用のプログラムとして実現されてもよい。
【００９２】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００９３】
５  照明器具
１０  照明用光源
１２  照明制御部（制御部）
１３  照明通信部（信号取得部、第二無線通信部）
２０、２０ａ  インターホン子機
２１  撮像部
２３  呼び出しボタン
２４、２４ａ  子機通信部（第一無線通信部）
３０、３０ａ  インターホン親機
３２  親機制御部（画像処理部）
３３  出音部
３６  記憶部
４０  音センサ
６１、７１  第一エリア
６２、７２  第二エリア
１００、１００ａ  照明システム
２００、２００ａ  インターホンシステム
【図１】
2016058192.tif 000003
【図２】
2016058192.tif 000004
【図３】
2016058192.tif 000005
【図４】
2016058192.tif 000006
【図５】
2016058192.tif 000007
【図６】
2016058192.tif 000008
【図７】
2016058192.tif 000009
【図８】
2016058192.tif 000010
【図９】
2016058192.tif 000011
【図１０】
2016058192.tif 000012
【図１１】
2016058192.tif 000013
【図１２】
2016058192.tif 000014